(57)【要約】【課題】  従来は撮影予定あるいは撮影済みの撮影項目をカメラ本体で確認する手段がないため、計画性のない撮影を記録してしまうことがあった。【解決手段】  上記課題を解決するため、撮影項目あるいは撮影予定に関する情報の読み込み手段、加工手段、表示手段を設け、撮影開始前に上記情報をカメラに読み込み、撮影時、ユーサーの撮影に応じて上記情報を加工し、上記情報を画面表示するビデオカメラを提供する。【選択図】  図１
2006339935.tif 000002
【特許請求の範囲】
【請求項１】
撮影項目あるいは撮影予定に関する情報をカメラ本体に読み込む読み込み手段と、その情報を加工する加工手段と、加工した上記情報を表示する表示手段を設け、撮影開始前に上記情報をカメラに読み込み、撮影時、ユーサーの撮影に応じて上記情報を加工し、上記情報を画面表示することを特徴としたビデオカメラ。
【請求項２】
上記読み込み手段により取り込んだ情報から、撮影時間の目安を求め、記録残量およびバッテリー残量を確認し、撮影に問題が予想される場合に警告を表示することを特徴とする請求項１に記載のビデオカメラ。
【請求項３】
上記読み込み手段は、上記情報は個々の撮影目的毎にPC上で作成し、メモリカード、DVDディスク、あるいはPCとの通信インターフェースでカメラに伝送することを特徴とする請求項１に記載のビデオカメラ。
【請求項４】
上記情報には撮影当日の撮影開始の予定時刻が含まれ、予定時刻の所定時間前にアラームを表示することを特徴とする請求項１に記載に記載のビデオカメラ。
【請求項５】
表示された撮影項目を選択し、対応した撮影を行った後に、再生時の順番を指定するプレイリストを自動生成することを特徴とする請求項１に記載のビデオカメラ。
【請求項６】
撮影後に、個々の撮影シーンと上記撮影項目とを関連付け、上記撮影項目ごとのプレイリストを自動生成することを特徴とする請求項１に記載のビデオカメラ。
【請求項７】
求められた目安の撮影時間を行うには、記録残量又はバッテリー残量が足りない場合に警告を表示することを特徴とする請求項２に記載のビデオカメラ。
【発明の詳細な説明】
【技術分野】
【０００１】
本発明は、ビデオカメラに関し、例えば、家庭用ビデオカメラの記録再生機能に関する。
【背景技術】
【０００２】
家庭用ビデオカメラの一般的な使用法としては、ユーザーが撮影する場面へビデオカメラ本体を持ち込み、任意の被写体にカメラを向け、任意のタイミングで撮影開始ボタンおよび撮影終了ボタンを操作して、撮影開始と終了をカメラに指示して撮影を行うものである。ビデオカメラに一体となっている液晶ディスプレイは撮影時、撮影する画像内容を表示すると共に、画質、撮影モードなどの撮影条件、現在の記録時間を示すカウンターなど撮影に関連する情報を表示するために使用している。
【０００３】
特許文献１に記載の発明では、ビデオカメラ本体に接続して使用するキーボード装置を用いて、スケジュール情報をビデオカメラに入力し、スケジュール情報に含まれる時刻情報と現在時刻を比較して、最も近いスケジュール情報をタイトルとして撮影画像に付加するものである。これにより、タイトル情報を撮影画像に重ね合わせて記録する主たる目的に加えて、直近のスケジュールを確認することが可能である。したがって、ユーザーは次に撮影すべき撮影内容に関する情報を、ビデオカメラから補助的なレベルにおいて取得することができる。
【０００４】
特許文献２に記載の発明では、APS方式のフィルムカメラ、ビデオカメラ、デジタルカメラにおいて、あらかじめ入力したスケジュール情報をルックアップテーブルとして記憶し、現在時刻との対応に基づいてスケジュール情報を検索し、選択したスケジュール情報を撮影時に撮影の関連情報として同時に記録するものである。この関連情報は、デジタルカメラ等の再生機能を伴ったカメラにおいては、再生時に表示画面に重畳して表示できる他、再生機能の有無に無関係に記録媒体の後処理工程に利用することができ、ユーザーの利便性が向上する。この発明の主たる目的は再生時あるいは後処理の工程でスケジュール情報を利用することであるが、それに加えて、ユーザーは次に撮影すべき撮影内容に関する情報を、ビデオカメラから補助的なレベルにおいて取得することができる。
【０００５】
【特許文献１】特開２０００−１３７２４号公報
【特許文献２】特開平１１−１６８６４８号公報
【発明の開示】
【発明が解決しようとする課題】
【０００６】
本発明の解決しようとする問題点は、従来のビデオカメラにおいては、次に撮影すべき撮影内容に関する情報が十分なレベルにおいてユーザーに提供されない点である。
【０００７】
一般的なスケジュール情報では、催し物の名称、開始時刻、それに加えて、催し物の目次等の詳細な出来事（たとえば、開始のあいさつ等）、あるいは人物名を含めることができる。しかしながら、撮影内容の項目数が多い場合には、時刻情報との関連により撮影内容を確認するだけでは不十分であり、撮影内容と共に、それが撮影済みであるか否かを同時にユーザーに提供することが有用である。
【０００８】
また、同様の内容を繰り返し撮影する場合や撮影時間を指定した撮影が要求される場合もあり、それに対応するには、残りの繰り替え回数、撮影すべき残り時間をユーサーに提示することが必要となる。さらには、撮影内容毎に撮影モード等の撮影条件を指定して撮影することが要求される場合には、撮影内容に加えて、それに対応した撮影条件をユーザーに提示する必要がある。これらの撮影に関する情報を、従来の技術では十分にユーザーに提示することができなかった。もし従来技術で上記の情報をユーザーが撮影時に活用しようと欲した場合、ビデオカメラ以外のもの、たとえば紙ベースのメモ、パソコン等の情報機器が別途必要であった。
【０００９】
また、別の問題点は、スケジュール情報をユーザーの意図的な確認動作の結果として提示しており、ユーザーが撮影時刻を意識していない場合は撮影をし忘れる可能性があり、十分にユーザーの撮影を補助する情報を提供できていなかった点である。
【課題を解決するための手段】
【００１０】
本発明は、撮影項目あるいは撮影予定に関する情報をカメラ本体に読み込む読み込み手段と、その情報を加工する加工手段と、加工した上記情報を表示する表示手段を設け、撮影開始前に上記情報をカメラに読み込み、撮影時、ユーサーの撮影に応じて上記情報を加工し、上記情報を画面表示することを特徴としたビデオカメラである。
【００１１】
より具体的には、例えば、撮影前に撮影内容に関する情報をビデオカメラに伝達するメモリーカード等の記録媒体インターフェースあるいは通信手段と、撮影内容に関する情報を一時的に記憶するメモリー手段と、該メモリー上の撮影内容に関する情報を処理するマイクロプロセッサーと、撮影内容に関する情報を表示する手段と、現在時刻を保持する時計手段を備えたビデオカメラである。
【００１２】
ユーザーが対応する撮影を行った場合には上記撮影に関する情報は上記マイクロプロセッサーにより処理し、変更を加えられる。ユーザーには変更後の情報が表示手段により表示され、最新の情報が提供される。
【００１３】
上記マイクロプロセッサーは、撮影内容と結びついた時刻情報を監視し、上記時計手段により得られる現在時刻と比較し、対応する時刻の所定時間前にユーザーに通知する。この通知をするために、上記表示手段にその旨の表示を行う。表示手段はテキスト情報、あるいは、ビデオ、オーディオ情報により行う。
【発明の効果】
【００１４】
本発明により、使い勝手を向上したビデオカメラを提供できる。
【発明を実施するための最良の形態】
【００１５】
以下、図面を用いて実施例を説明する。
【実施例１】
【００１６】
図1は本発明の第一の実施例であるビデオカメラの構成を示すブロック図である。１は映像（音声を含む）の入力を行う撮像手段、２は映像データの変換および逆変換を行うコーデック手段、３は映像の表示手段、４は映像データを記録するストレージ手段、５は本装置を外部システムに接続するインターフェース手段、６はシステム制御手段、７はユーザー操作を受け付けるための操作パネル、８は後述する撮影指示データ、９は本装置の各処理手段とシステム制御手段を接続するバス手段である。
【００１７】
ユーザーは操作パネル７により本ビデオカメラを操作し、映像を記録、再生を行う。本装置では、ストレージ４は映像データを記録、再生する以外に、撮影指示データを記録再生する手段として使用する。撮影時、ユーザーは操作パネル７を操作することにより、撮影指示データ８を表示装置３に表示することができる。撮影指示データに従った撮影を行うとき、その撮影に対応した撮影指示データ８の部分が更新され、保存される。表示された撮影指示データ８を見ることにより、ユーザーはいつでも残された撮影指示内容を知ることができる。
【００１８】
本装置の具体的な動作について説明する。
撮像手段１は被写体の映像データを生成し、コーデック手段２および表示装置３に送る。表示装置３は一般にはビューファインダーあるいは液晶パネルと呼ぶものであり、ユーザーが現在撮影している映像を確認するものである。表示装置３は、撮影した映像を後で再生する手段としても使用する。コーデック手段２は映像データの圧縮・復号装置である。撮像手段１の出力する映像データはストレージ手段４に保存するためにはデータ量が膨大となるため使用できない。それをコーデック手段２により圧縮符号化した後、ストレージ手段４に記録再生する。コーデック手段は撮影時には圧縮を行い、再生時には復号化を行う。この切り替えはシステム制御手段６の制御により行う。再生時、コーデック手段が復号した映像は表示装置３へ送り、表示する。
【００１９】
システム制御手段６は、CPU２１、バス手段９、ワークメモリ２３、ROM２４、および不揮発メモリー２２より構成する。ROM24にはCPU２１のプログラムおよび固定データを格納する。CPU２１はバス９に接続したROM２４からプログラムおよびデータを読み出し、ワークメモリ２３に展開して動作する。本装置の他のサブシステム（各処理手段）はバス９を介してシステム制御手段６と接続し、制御される。たとえば、ユーザー操作は操作パネル７のボタン操作として入力され、それをCPU２１がバス９経由で読み取る。
【００２０】
図２は撮像手段１の構成例である。３１はレンズを含む光学系、３２はCCDセンサー、３３はビデオ信号処理回路、３４は映像データの出力端子、３５は通信端子、３６はCPU（マイクロコンピュータ）である。CPU36は、システムコントローラ内部のCPU２１とは別物であり、撮像手段１の制御に専念するCPUである。CPU３６は光学系３１、CCDセンサー３２、ビデオ信号処理回路３３を制御して、映像データを端子３４より出力する。CPU３６は通信端子３５によりシステム制御手段６と通信して、システムコントローラ６の指示に従った動作を行う。
【００２１】
ストレージ手段４は映像データおよび撮影指示データを保存する装置である。ハードディスクドライブあるいはメモリカードドライブあるいは書き換え可能DVDドライブを使用し、所定のファイルシステムに準拠したファイル形式で映像データおよび撮影指示データを保存する。映像データおよび撮影指示データは、それぞれ、所定の異なったディレクトリーに保存する。映像データの保存はDVDフォーラムのDVD Video Recording規格に準拠したデータ形式で記録する。
【００２２】
図4はストレージ手段４に記録する撮影指示データのファイル構成を示すものである。４１はディレクトリ、４２はデータ管理情報ファイル、４３は撮影指示ファイル（１つあるいは複数のファイルを示すため４３−１、４３−Nと表記する。）である。
【００２３】
ディレクトリ４１は予め決められた名前のディレクトリーであり、それ以下に撮影指示データを記録する。記録は所定のファイルシステムに準拠して行う。ファイルシステムとしてはFATあるいはUDF(Univrsal File System)を用いる。詳細を後述するデータ管理情報ファイルは、１つあるいは複数の撮影指示ファイルの管理情報を記録するファイルであり、ディレクトリ４１に１つだけ存在する。撮影指示ファイルは、ユーザーに撮影内容を指示するための情報を記録したファイルであり、個々の撮影指示項目（撮影アイテム）の集合である。
【００２４】
図５は第一の実施例のデータ管理情報ファイルのフォーマットを示す図である。
データ管理情報ファイルのデータ内容５０は、固定長のデータ管理情報ヘッダーおよび可変長の撮影指示ファイルリストより構成する。
【００２５】
固定長のデータ管理情報ヘッダーは、このファイルがデータ管理情報ファイルであることを示すファイル識別子、そのフォーマットのバージョン番号、このファイルに含まれる撮影指示ファイルの数、現在指定されている撮影指示ファイルの番号（カレントファイル番号）を記述する。
【００２６】
撮影ファイルリストは各撮影指示ファイルのファイル名、表示用のタイトル（文字列）である指示タイトルを記述したものである。各指示ファイルは１から始まるファイル番号で管理される。図５に示した指示ファイルi(iは１から指示ファイル数Nまでの数字)にはファイルシステムで認識する実際のファイル名が格納され、対応する指示タイトルiには表示装置３に表示する文字列（一例として、「誕生日XX年YY日」などの撮影指示内容を代表したもの）が格納される。
【００２７】
カレントファイル番号は０からNまでの数字であり、現在設定された撮影指示ファイルの番号である。カレントファイル番号０は選択された指示ファイルがないことを示す。
【００２８】
図９(a)は第一の実施例の撮影指示ファイルのフォーマットの一例を示す図である。データ管理情報ファイルのデータ内容９０は、固定長の指示ファイルヘッダーおよび可変長の指示リストより構成する。
【００２９】
固定長の指示ファイルヘッダーは、このファイルが撮影指示ファイルであることを示すファイル識別子、そのフォーマットのバージョン番号、このファイルに含まれる撮影指示項目（アイテム）の数を記述する。ファイル識別子により、複数のフォーマットの撮影指示ファイルに対応した動作を実現することができる。
【００３０】
図９(a)のフォーマットの指示リストの例は、個々の撮影指示項目（アイテム）の集合である。撮影指示項目はアイテム名、完了フラグ（図中では「完」）、予定パラメータ(「予定」)、残量パラメータ（「残り」）、単位パラメータ（「単位」）より構成したものである。それぞれの撮影指示項目は番号で管理され、指定される。
【００３１】
予定パラメータは撮影指示の撮影時間あるいは撮影回数の予定の数量、残量パラメータは対応した撮影の残りの撮影時間あるいは撮影回数の数量であり、実際に撮影を行った場合には、予定の数量から撮影を行った数量を減算して算出する。この算出はCPU２１がワークメモリー２３に展開されたプログラムに従って実行する。単位パラメータは予定パラメータ、残量パラメータの単位を指定するものであり、図９(b)に内部データと表示用の単位の対応関係を示す。CPU２１による内部処理には内部データが使用され、表示装置３に表示する場合は表示用の単位が使用される。
【００３２】
完了パラメータは撮影指示項目毎に、予定に対して実際の撮影が完了しているか否かを示すものであり、図９（ｃ）に内部データと表示用の単位の対応関係を示す。完了した項目では内部データとして１が格納され、それ以外は０が格納される。CPU２１による内部処理には内部データが使用され、表示装置３に表示する場合は識別可能なマークが使用される。
【００３３】
図6は指示ファイルを選択あるいは確認する際の表示装置３の表示画面を示したものである。６０は表示装置３の外形、６１は指示タイトル一覧の表示内容、６２は現在設定されている指示タイトル（カレントファイル番号に対応する）を示すマークである。指示タイトルが多いためにすべてを1画面に表示しきれない場合は、スクロール表示を行う。これらの表示は、撮影を妨げないように背景を透明として表示する。
【００３４】
図７は現在設定されている指示タイトルに対応した撮影指示項目を選択あるいは確認する際の表示装置３の表示画面を示したものである。６０は表示装置３の外形、７２は指示リストの表示内容、７３は現在設定されている指示項目を示すマークである。７４から７７はそれぞれ、完了パラメータ、予定パラメータ、残量パラメータ、単位パラメータを表示する欄である。この画面表示においても、背景を透明として表示することにより撮影を妨げないようにする。
【００３５】
図7では、アイテム名１に対応する撮影が撮影完了となったため、完了パラメータの欄に完了を示すマークが表示されている。予定パラメーター７５、残量パラメータ７６の各欄に記載したmm(i),nn(i) (図7でiは1から３の数値)は、実際の表示では数字が表示される。
【００３６】
図８は、指示ファイルおよび撮影指示項目が選択完了した際の表示装置３の表示画面を示したものである。８１は撮影指示項目を示すアイテム名、８２は予定パラメータ、８３は残量パラメータ、８４は単位パラメータである。背景を透明として、これらのデータを表示することにより、撮影指示内容を確認しながら撮影を行うことができる。
【００３７】
図10は操作パネル７の構成の一例を示す図である。１００は操作パネル７の外形、１０１から１０９は操作ボタンであり、１０１はナビボタン、１０２はメニューボタン、１０４、１０５，１０６，１０７はカーソルボタン、１０３はセットボタン、１０８はキャンセルボタン、１０９はRecボタンである。各ボタンの配置、形状、ボタン内部の表示文字あるいは記号は一例であり、ユーザーの使い勝手を考慮して変更可能である。この例では、外形が１つの場所にまとまった形式となっているが、カメラ本体上で複数の場所に分割されて配置されてもよい。
【００３８】
ナビボタン１０１を押すごとに撮影時モードと再生時モードが切り替わる。撮影時モードの際にメニューボタン１０２を押して、カメラの操作メニューを表示させる。操作メニューに含まれる各メニュー項目はカーソルボタン１０４から１０７およびセットボタン１０３を操作して選択する。操作メニューには、「指示タイトル一覧」、「指示リスト一覧」のメニュー項目が含まれ、「指示タイトル一覧」を選択した場合は図6、「指示リスト一覧」を選択した場合は図７に示す画面内容が表示される。セットボタン１０３を押して決定する前に行った変更内容を無効にするためにはキャンセルボタン１０８を押す。
【００３９】
図８に示す指示ファイルおよび撮影指示項目が選択完了した状態でRecボタン109を押すことにより、撮影指示項目に対応した撮影を実行する。
【００４０】
図１１はCPU21が実行するプログラムの起動時処理のフォローチャートの一部である。
このフローチャートでは撮影指示関連の処理のみを示している。処理の結合端子（開始、終了を含む）は丸、処理は四角で図示している。
【００４１】
７０１の処理開始後、処理ステップ７０２で所定のディレクトリ４１が存在するかを検査する。これが存在する場合は、７０３で所定のデータ管理情報ファイル４２が存在するかを検査する。これが存在する場合は、７０４でファイルをオープンし、データ管理情報ヘッダーを読み込む。さらに、７０５で読み込んだ指示ファイル数Nが０より大きいかを検査する。N＞０の場合は、７０６でデータ管理情報を読み込み、ワークメモリ２３に一時保存する。さらに、７０７でデータ管理情報で指定された指示ファイル番号に対応する指示ファイルを読み込み、ワークメモリ２３に一時保存する。ワークメモリ２３に一時保存した撮影指示関連のデータはCPU21が処理して、バス９を介して表示装置３に送り、画面表示すると共に、撮影指示に従った撮影が命令された場合には、ワークメモリ２３上で更新される。
【００４２】
処理ステップ７０２，７０３、７０５で条件が満たされない場合は、このフローチャートで示した処理の部分を終了する（終了端子７０８に達する）。
【００４３】
図１２はCPU21が実行するプログラムの撮影時処理のフォローチャートの一部である。
このフローチャートでは撮影指示関連の処理のみを示している。
【００４４】
７２１の処理開始は操作パネル７より命令が送られた場合に到達する。処理ステップ７２２で撮影指示関連の命令であることを判別する。撮影指示関連以外の命令であれば、終了端子７３１より出て、次の処理に移行する。撮影指示関連の命令であれば、（１）指示タイトル一覧を表示中、（２）指示リストを表示中、（３）前記以外の場合で、それぞれ別の処理を実行する。上記（１）の場合、処理ステップ７２３、７２４、７２５を処理して、命令が指示タイトルファイルを設定する命令である場合は、現在の指示タイトルファイルを変更する。上記（２）の場合、処理ステップ７２６、７２７、７２８を処理して、命令が撮影指示項目を設定する命令である場合は、現在の撮影指示項目を変更する。上記（３）の場合、処理ステップ７２９、７３０を処理して、命令が指示タイトル一覧の表示命令、あるいは指示リストの表示命令である場合は、対応する一覧あるいはリストを画面表示する。
【００４５】
撮影終了時（Recボタンを押して撮影を停止するとき）の処理は、撮影指示項目が設定されているか否かによって２つに分かれる。
【００４６】
撮影指示項目が設定されている場合は、通常の映像データの記録処理のほかに、ワークメモリ上の撮影指示項目の残量パラメータを更新する処理を行う。予定パラメータと比較して、撮影が完了したと判断した場合は、完了パラメータについても更新を行う。これらの処理の後に、映像データの管理情報に含まれるプレイリストのデータを自動生成する。プレイリストはDVDフォーラムのDVD Video Recording規格で定義されたデータである。対応する撮影指示項目によって、それに対応するプレイリストがすでに作成済みの場合には、今回撮影した映像をプレイリストに追加する処理を行う。このようにしてプレイリストデータを自動生成することによって、プレイリスト指定の再生時には撮影の順番とは異なり、撮影項目ファイル順に再生を行うことができる。このことは、映像の後処理のユーザー負担を軽減する効果がある。
【００４７】
一方、撮影指示項目が設定されていない場合は、通常の映像データの記録処理の後に、撮影指示項目の割り当て処理を実行することができる。この処理はユーザーの操作パネルによる命令により開始する。ワークメモリ上の撮影指示項目の残量パラメータ他のパラメータの処理、およびプレイリストの自動生成の処理に関しては、上記撮影指示項目が設定されている場合と同様に処理する。
【００４８】
図３は撮影指示ファイルのフォーマットの別例を示す図である。先の例と異なる点は、記録開始時刻に関するデータとその時刻に対応してアラーム表示するかを示すパラメータが含まれている点である。このフォーマットの撮影指示タイトルを設定した場合、アラーム表示を可能とした撮影指示項目について、対応する時刻になった場合、画面上にアラームを表示するように動作する。これにより、ユーザーは対応する撮影項目の取り忘れを防ぐことができる。
【００４９】
これらの撮影指示項目は、パソコン、PDA（パーソナルデジタルアシスタンス）デバイス、携帯電話で使用されているスケジュール情報、あるいはToDo項目と類似のデータであり、容易に変換することが可能である。予定パラメータなど一部データの変換に間違いが生じた場合でも、カメラ本体の操作で容易に撮影指示項目の内容を修正することができる。
【００５０】
パソコン、PDAデバイス、携帯電話等の外部システムから撮影指示項目を取り込むには、インターフェース手段を使用する。インターフェース手段はメモリカードホスト、USBインターフェースを実装することにより容易に実現することができる。
【００５１】
また、携帯電話やPDA等の携帯デバイスにカメラを有したものも実施例の１つである。この場合には、携帯デバイス自体でスケジュールなどの編集を行うことができる。
【００５２】
また、上記実施例では、撮影指示データ８をストレージ４上に記録しているものとして説明を行ったが、これに限定されるものではない。例えば、ビデオカメラ本体のメモリに撮影指示データ８を記憶するようにしておいても良い。前者の場合（ストレージ４に撮影指示データ８を記録する）と後者の場合（ビデオカメラ本体に撮影指示データ８を記憶する）を比較すると、前者の場合はストレージ４を携帯するだけでどのビデオカメラに持っていても対応ささることができ、後者の場合は撮影指示データ８をストレージ４に記録させる必要がないためストレージ４の容量を節約することができる。
【００５３】
以上の実施例により、撮影内容に関する情報がカメラの表示手段で確認できるため、ユーザーは撮影すべき内容を事前に確認することにより、最終的に意図した撮影を完成することができる。また、撮影内容を事前に吟味できるので、記録メディアのデータ領域を有効に利用することができる。また、撮影済みの内容と未だ撮影していない内容を確認できるので、取り忘れを防止できる。
【００５４】
さらに、時計手段により、所定時刻になった場合にカメラからの通知があるため、撮影を行うタイミングを忘れる失敗が防止できる。
【図面の簡単な説明】
【００５５】
【図１】本発明の第一の実施例であるビデオカメラの構成を示すブロック図。
【図２】撮像手段１の構成例を示すブロック図。
【図３】撮影指示ファイルのフォーマットの別例を示す図
【図４】ストレージ手段４に記録する撮影指示データのファイル構成を示す図
【図５】データ管理情報ファイルのフォーマットを示す図
【図６】指示ファイルを選択あるいは確認する際の表示装置３の表示画面
【図７】撮影指示項目を選択あるいは確認する際の表示装置３の表示画面
【図８】指示ファイルおよび撮影指示項目が選択完了した際の表示装置３の表示画面
【図９】撮影指示ファイルのフォーマットの一例を示す図
【図１０】操作パネル７の構成の一例を示す図
【図１１】CPU21が実行するプログラムの起動時処理のフォローチャートの一部
【図１２】CPU21が実行するプログラムの撮影時処理のフォローチャートの一部
【符号の説明】
【００５６】
1・・・撮像手段、3・・・表示装置、4・・・ストレージ、5・・・インターフェース、6・・・システム制御手段、7・・・操作パネル
【図１】
2006339935.tif 000003
【図２】
2006339935.tif 000004
【図３】
2006339935.tif 000005
【図４】
2006339935.tif 000006
【図５】
2006339935.tif 000007
【図６】
2006339935.tif 000008
【図７】
2006339935.tif 000009
【図８】
2006339935.tif 000010
【図９】
2006339935.tif 000011
【図１０】
2006339935.tif 000012
【図１１】
2006339935.tif 000013
【図１２】
2006339935.tif 000014